(57)【要約】【課題】扉本体の内面側の意匠の制約を少なくすることが可能な門扉を提供する。【解決手段】門扉１００は、両開きの親扉１及び子扉２と、親扉１の扉本体１０に回動自在に取り付けられたハンドル３と、扉本体１０を閉位置に維持する維持手段４と、を備えている。維持手段４は、親扉１の扉本体１０に内蔵され、ハンドル３の回動操作に連動して扉本体１０の内外に突没自在に変位するアーム５と、子扉２の扉本体２０に内蔵され、扉本体１０が前記閉位置に位置付けられた状態でアーム５が係止可能なアーム受け部６と、を備えている。アーム５は、ハンドル３側から延びた基部５１と、基部５１のハンドル３から離れた端部から扉本体１０の上側に向かって延びた引掛け部５２と、により鉤状に形成されている。【選択図】図２
2015124567.tif 000002
【特許請求の範囲】
【請求項１】
一端部を回動中心として回動自在に設けられた扉本体と、前記扉本体の他端部に回動自在に取り付けられ、前記扉本体の外面及び内面と平行な仮想面上を回動するハンドルと、前記扉本体が閉位置に位置付けられた状態で前記扉本体の他端部側に位置する構造物と、前記扉本体を前記閉位置に維持する維持手段と、を備えた門扉において、
前記維持手段が、
前記扉本体に内蔵され、前記ハンドルの回動操作に連動して前記扉本体の内外に突没自在に変位するアームと、
前記構造物に取り付けられ、前記扉本体が前記閉位置に位置付けられた状態で前記アームが係止可能なアーム受け部と、
を備えている
ことを特徴とする門扉。
【請求項２】
前記アームが、前記ハンドル側から延びた基部と、該基部の前記ハンドルから離れた端部から前記扉本体の上側又は下側に向かって延びた引掛け部と、により鉤状に形成されている
ことを特徴とする請求項１に記載の門扉。
【請求項３】
前記構造物の前記アーム受け部近傍に取り付けられ、前記扉本体から突出した前記アームが前記構造物に当たることを防止する保護部材をさらに備えている
ことを特徴とする請求項１又は請求項２に記載の門扉。
【請求項４】
前記ハンドルが、前記扉本体の外面側に配置される第１把持部と、前記扉本体の内面側に配置される第２把持部と、前記第１把持部と前記第２把持部とを連結した当該ハンドルの回動中心となる連結部と、を備え、
前記第１把持部及び前記第２把持部が、前記扉本体に関して面対称となる形状に形成され、かつ、前記第１把持部、前記第２把持部、前記連結部、が相互に分離可能である
ことを特徴とする請求項１ないし請求項４のいずれか１項に記載の門扉。
【発明の詳細な説明】
【技術分野】
【０００１】
本発明は、回動自在に設けられた扉本体を備えた門扉に関するものである。
【背景技術】
【０００２】
図６は、従来の打ち掛け錠を備えた門扉の概略平面図である。図７は、図６に示された打ち掛け錠の説明図である（特許文献１を参照。）。
【０００３】
図６，７に示すように、両開き門扉３００は、不図示の門柱等にヒンジを介して回動自在に取り付けられた一対の扉３０１，３０２と、これら一対の扉３０１，３０２を閉位置に維持する打ち掛け錠３０３と、を備えている。
【０００４】
打ち掛け錠３０３は、一方の扉３０１に回動自在に取り付けられた一対の把持部３３３及び該把持部３３３に連結されたアーム３３１と、他方の扉３０２の内面側に取り付けられ、アーム３３１の自由端が係合するアーム受３３５と、を備えている。一対の把持部３３３は、一方が扉３０１の外面側に配置され、他方が扉３０１の内面側に配置されている。これら一対の把持部３３３は、互いに連動して回動するように連結されている。又、アーム３３１は、他方の把持部３３３に連結されており、扉３０１，３０２の内面側に配置されている。
【先行技術文献】
【特許文献】
【０００５】
【特許文献１】特開２０１２−６７４４０号公報
【発明の概要】
【発明が解決しようとする課題】
【０００６】
しかしながら、上述した打ち掛け錠３０３を備えた門扉３００においては、以下に示す複数の問題があった。
【０００７】
まず、上記門扉３００においては、一対の扉３０１，３０２の内面側にアーム３３１及びアーム受３３５が配置されており、一対の扉３０１，３０２の内面側の意匠に制約が生じてしまうという問題があった。
【０００８】
又、強風が吹いた際や門扉３００に強い衝撃が加えられた際に、アーム３３１がアーム受３３５から外れて扉３０１，３０２が開いてしまうことがあるという問題があった。
【０００９】
さらに、この種の門扉においては扉が左側に開く左勝手と右側に開く右勝手の二方向の開閉構造があり、上記門扉３００は右勝手となっている。このため、ハンドル３３３、アーム３３１、アーム受３３５等の部品は右勝手仕様のものが用いられている。しかし、ユーザーの希望等に応じて上記門扉３００の勝手を左勝手とする場合、ハンドル３３３、アーム３３１、アーム受３３５等の部品を全て左勝手仕様のものを用いなくてはならず、当該門扉３００の製造乃至在庫の現場等においては揃えておくべき部品の種類が多くなってしまうという問題があった。
【００１０】
したがって、本発明は、扉本体の内面側の意匠の制約を少なくすることが可能な門扉を提供することを目的とする。
【課題を解決するための手段】
【００１１】
請求項１に記載された発明は、一端部を回動中心として回動自在に設けられた扉本体と、前記扉本体の他端部に回動自在に取り付けられ、前記扉本体の外面及び内面と平行な仮想面上を回動するハンドルと、前記扉本体が閉位置に位置付けられた状態で前記扉本体の他端部側に位置する構造物と、前記扉本体を前記閉位置に維持する維持手段と、を備えた門扉において、前記維持手段が、前記扉本体に内蔵され、前記ハンドルの回動操作に連動して前記扉本体の内外に突没自在に変位するアームと、前記構造物に取り付けられ、前記扉本体が前記閉位置に位置付けられた状態で前記アームが係止可能なアーム受け部と、を備えていることを特徴とする門扉である。
【００１２】
請求項２に記載された発明は、請求項１に記載された発明において、前記アームが、前記ハンドル側から延びた基部と、該基部の前記ハンドルから離れた端部から前記扉本体の上側又は下側に向かって延びた引掛け部と、により鉤状に形成されていることを特徴とするものである。
【００１３】
請求項３に記載された発明は、請求項１又は請求項２に記載された発明において、前記構造物の前記アーム受け部近傍に取り付けられ、前記扉本体から突出した前記アームが前記構造物に当たることを防止する保護部材をさらに備えていることを特徴とするものである。
【００１４】
請求項４に記載された発明は、請求項１ないし請求項４のいずれか１項に記載された発明において、前記ハンドルが、前記扉本体の外面側に配置される第１把持部と、前記扉本体の内面側に配置される第２把持部と、前記第１把持部と前記第２把持部とを連結した当該ハンドルの回動中心となる連結部と、を備え、前記第１把持部及び前記第２把持部が、前記扉本体に関して面対称となる形状に形成され、かつ、前記第１把持部、前記第２把持部、前記連結部、が相互に分離可能であることを特徴とするものである。
【発明の効果】
【００１５】
請求項１に記載された発明によれば、前記維持手段が、前記扉本体に内蔵され、前記ハンドルの回動操作に連動して前記扉本体の内外に突没自在に変位するアームと、前記構造物に取り付けられ、前記扉本体が前記閉位置に位置付けられた状態で前記アームが係止可能なアーム受け部と、を備えているので、扉本体の内面側にアームやアーム受等を配置する必要がなくなり、意匠の制約を少なくすることが可能になる。
【００１６】
請求項２に記載された発明によれば、前記アームが、前記ハンドル側から延びた基部と、該基部の前記ハンドルから離れた端部から前記扉本体の上側又は下側に向かって延びた引掛け部と、により鉤状に形成されているので、強風が吹いた際や門扉に強い衝撃が加えられた際にも、アームをアーム受け部から外れ難くすることができる。
【００１７】
請求項３に記載された発明によれば、前記構造物の前記アーム受け部近傍に取り付けられ、前記扉本体から突出した前記アームが前記構造物に当たることを防止する保護部材をさらに備えているので、構造物に傷をつき難くすることができる。
【００１８】
請求項４に記載された発明によれば、前記ハンドルが、前記扉本体の外面側に配置される第１把持部と、前記扉本体の内面側に配置される第２把持部と、前記第１把持部と前記第２把持部とを連結した当該ハンドルの回動中心となる連結部と、を備え、前記第１把持部及び前記第２把持部が、前記扉本体に関して面対称となる形状に形成され、かつ、前記第１把持部、前記第２把持部、前記連結部、が相互に分離可能であるので、右勝手の門扉と左勝手の門扉との間で、第１把持部及び第２把持部を共通使用することができる。すなわち、右勝手の門扉で用いる第１把持部を左勝手の門扉の第２把持部として用いることができ、右勝手の門扉で用いる第２把持部を左勝手の門扉の第１把持部として用いることができる。
【図面の簡単な説明】
【００１９】
【図１】本発明の一実施形態にかかる門扉を敷地の外側から見た斜視図である。
【図２】図１に示された門扉のハンドル部分を敷地の内側から見た図である。
【図３】図１に示された親扉の側面部分を示す斜視図である。
【図４】図１に示された親扉の扉本体に内蔵されたアームの先端側が扉本体外に突出した状態を示す斜視図である。
【図５】図４に示されたアームが子扉の扉本体に取り付けられた保護部材に当たっている状態を示す斜視図である。
【図６】従来の打ち掛け錠を備えた門扉の概略平面図である。
【図７】図６に示された打ち掛け錠の説明図である。
【発明を実施するための形態】
【００２０】
本発明の一実施形態にかかる「門扉」を図１〜５を参照して説明する。図１，２に示す門扉１００は、一対の門柱１０１，１０２にヒンジ１０３，１０４を介してそれぞれ回動自在に取り付けられた親扉１及び子扉２と、親扉１の扉本体１０に回動自在に取り付けられたハンドル３と、親扉１の扉本体１０を閉位置（図１に示す位置である。）に維持する維持手段４と、を備えている。
【００２１】
親扉１の扉本体１０は、一端部（ヒンジ１０３が取り付けられた側）を回動中心として回動自在に設けられている。子扉２の扉本体２０は、一端部（ヒンジ１０４が取り付けられた側）を回動中心として回動自在に設けられている。すなわち、門扉１００は、両開きの親扉１及び子扉２を備えている。
【００２２】
親扉１の扉本体１０が閉位置に位置付けられた状態で、子扉２の扉本体２０は、親扉１の扉本体１０の他端部側に位置する。子扉２の扉本体２０の下端には、扉本体２０を閉位置（図１に示す位置である。）に維持する落し棒２１が取り付けられている。なお、親扉１の扉本体１０は、請求項の「扉本体」に相当する。子扉２の扉本体２０は、請求項の「構造物」に相当する。
【００２３】
ハンドル３は、親扉１の扉本体１０の他端部に回動自在に取り付けられている。図３に示すように、ハンドル３は、扉本体１０の外面側（敷地の外側）に配置される第１把持部３１と、扉本体１０の内面側（敷地の内側）に配置される第２把持部３２と、第１把持部３１と第２把持部３２とを連結した当該ハンドル３の回動中心となる連結部３３と、を備えている。第１把持部３１及び第２把持部３２は、扉本体１０に関して面対称となる形状に形成されている。これら第１把持部３１及び第２把持部３２は、扉本体１０の外面及び内面と平行な仮想面上を回動する。
【００２４】
上述した第１把持部３１、第２把持部３２、連結部３３、は、相互に分離可能である。このため、本実施形態の門扉１００は敷地の外側から見て親扉１が左側に開く左勝手となっているが、親扉１を右勝手の扉に変更する場合、第２把持部３２を前記右勝手の扉の外面側に配置し、第１把持部３１を前記右勝手の扉の内面側に配置して使用することができる。
【００２５】
維持手段４は、親扉１の扉本体１０に内蔵され、第１把持部３１又は第２把持部３２の回動操作に連動して扉本体１０の内外に突没自在に変位するアーム５と、子扉２の扉本体２０に内蔵され、扉本体１０が前記閉位置に位置付けられた状態でアーム５が係止可能なアーム受け部６（図２を参照。）と、を備えている。
【００２６】
アーム５は、図４に示すように、ハンドル３側から延びた基部５１と、基部５１のハンドル３から離れた端部から扉本体１０の上側に向かって延びた引掛け部５２と、により鉤状に形成されている。このアーム５は、第１把持部３１又は第２把持部３２の回動操作に連動して、扉本体１０の他端部側（子扉２側）の側面から扉本体１０の内外に突没自在に変位する。又、アーム５は、自然状態において扉本体１０から突出した姿勢となるように設けられている。
【００２７】
アーム受け部６は、アーム５の先端側を収容可能な収容空間を有しており、該収容空間は、扉本体２０の他端部側（親扉１側）の側面において開口している。
【００２８】
このような維持手段４においては、アーム５の引掛け部５２がアーム受け部６内に位置付けられかつアーム受け部６に係止することにより、親扉１の扉本体１０が閉位置に維持される。そして、第１把持部３１又は第２把持部３２を下側に回動させることにより、アーム５が下に下がると共にアーム受け部６への係止が解除されて当該アーム５が扉本体１０内部に没入する。このことにより、親扉１の扉本体１０が閉位置から回動可能となる。
【００２９】
又、本実施形態では、アーム５がハンドル３に直結されているが、本発明においては、アーム５とハンドル３との間にギアやカム等を組み込むようにしてもよい。こうすることで、親扉１を開く際の第１把持部３１又は第２把持部３２の回動角度を小さくすることができ、操作性を向上させることができる。
【００３０】
さらに、図５に示すように、子扉２の扉本体２０におけるアーム受け部６近傍には、親扉１の扉本体１０から突出したアーム５が扉本体２０に当たることを防止する保護部材７が取り付けられている。このことにより、アーム５が扉本体１０から突出した状態で扉本体１０を閉位置に回動させてしまっても、アーム５が直接扉本体２０に当たることがなく、扉本体２０に傷をつき難くすることができる。
【００３１】
上記構成の門扉１００によれば、アーム５を親扉１の扉本体１０に内蔵し、アーム受け部６を子扉２の扉本体２０に内蔵した構成により、扉本体１０の内面側にはハンドル３の構成部品のみが配置され、扉本体２０の内面側には何も配置されないので、扉本体１０，２０の内面側の意匠の制約を少なくすることができる。又、アーム５は鉤状に形成されており、扉本体２０に内蔵されたアーム受け部６に係止する構成により、強風が吹いた際や門扉１００に強い衝撃が加えられた際にも、アーム５をアーム受け部６から外れ難くすることができる。
【００３２】
さらに、この門扉１００は、扉本体１０の内面側にハンドル３の構成部品のみが配置される簡素な構成であり、かつ、一種類の第１把持部３１及び第２把持部３２を左勝手の門扉１００と右勝手の門扉とに共通使用することができるので、左勝手の門扉１００と右勝手の門扉とを製造する場合に、製造乃至在庫の現場等において揃えておくべき部品の種類を少なくすることができる。
【００３３】
又、上述した実施形態では、門扉１００が両開きの親扉１及び子扉２を備えており、アーム受け部６が子扉２の扉本体２０に内蔵されていたが、本発明の門扉は、片開きの扉を備えた構成であってもよく、その場合はアーム受け部６が門柱等の構造物に取り付けられていてもよい。
【００３４】
又、上述した実施形態では、アーム５が、基部５１と、基部５１の端部から扉本体１０の上側に向かって延びた引掛け部５２と、により鉤状に形成されていたが、本発明のアームは、基部５１と、基部５１の端部から扉本体１０の下側に向かって延びた引掛け部と、により鉤状に形成されていてもよい。さらに、本発明のアームは、必ずしも鉤状でなくともよく、アーム受け部に係止可能な形状であればよい。
【００３５】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００３６】
１  親扉
２  子扉
３  ハンドル
４  維持手段
５  アーム
６  アーム受け部
１０  扉本体
２０  扉本体（構造物）
１００  門扉
【図１】
2015124567.tif 000003
【図２】
2015124567.tif 000004
【図３】
2015124567.tif 000005
【図４】
2015124567.tif 000006
【図５】
2015124567.tif 000007
【図６】
2015124567.tif 000008
【図７】
2015124567.tif 000009